(57)【特許請求の範囲】
【請求項１】
保温性の高い材質から構成され、かつ左右に開放可能な前身頃、後身頃および両袖を有する、上着部と、
前記上着部の内側に縫い付けられ、吸汗性の高い材質から構成され、かつ左右に開放可能な前身頃および後身頃を有する、肌着部と
を備え、
前記肌着部は、その脇、肩、および後身頃の後袖ぐりの各部分において、前記上着部に縫い付けられている、乳児用衣服。
【請求項２】
前記肌着部は、前記上着部より短い着丈を有している、請求項１に記載の乳児用衣服。
【請求項３】
前記肌着部には、乳児の脇の下に当たる位置に吸汗パッドが取り付けられている、請求項１または２に記載の乳児用衣服。
【発明の詳細な説明】
【０００１】
【発明の属する技術分野】
この発明は、乳児用衣服に関するもので、特に、乳児用衣服の、乳児への着脱を容易にするための改良に関するものである。
【０００２】
【従来の技術】
乳児に衣服を着せるとき、肌着と上着とを着せるのが通常である。肌着は、吸汗機能を果たし、上着は、保温機能を果たす。
【０００３】
また、このような乳児用衣服は、乳児への着脱が容易であることが望まれる。そのため、上述した肌着および上着の前身頃は、左右に開放可能なデザインとされることが多い。
【０００４】
また、肌着については、おむつを交換する際に邪魔にならないように、その着丈は短いものとされる。
【０００５】
【発明が解決しようとする課題】
上述したような肌着と上着とを乳児に着せようとするとき、肌着をまず着せ、その後で上着を着せるようにすることが通常であるが、このように肌着と上着とを２段階で着せることの煩雑さを解消するため、肌着と上着とを予め重ね合わせた状態とし、これら肌着と上着とを一挙に着せることも行なわれている。
【０００６】
しかしながら、後者の場合であっても、肌着と上着とを予め重ね合わせておくといった作業が必要であり、この点において、煩雑さをさらに解消し得る余地が残されている。
【０００７】
そこで、この発明の目的は、上述のような煩雑さを解消して、乳児への着脱をより容易にすることができる、乳児用衣服を提供しようとすることである。
【０００８】
【課題を解決するための手段】
この発明に係る乳児用衣服は、上述した技術的課題を解決するため、保温性の高い材質から構成され、かつ左右に開放可能な前身頃、後身頃および両袖を有する、上着部と、この上着部に内側に縫い付けられ、吸汗性の高い材質から構成され、かつ左右に開放可能な前身頃および後身頃を有する、肌着部とを備えることを特徴としている。
【０００９】
さらに、この発明に係る乳児用衣服は、上述のように、肌着部を上着部の内側に縫い付けるにあたって、肌着部は、その脇、肩および後身頃の後袖ぐりの各部分において、上着部に縫い付けられることを特徴としている。
【００１０】
この発明において、肌着部は、上着部より短い着丈を有していることが好ましい。
【００１１】
また、この発明において、肌着部には、好ましくは、乳児の脇の下に当たる位置に吸汗パッドが取り付けられる。
【００１２】
【発明の実施の形態】
図１は、この発明の一実施形態による乳児用衣服１の前身頃側を示し、図２は、同じく後身頃側を示している。
【００１３】
乳児用衣服１は、上着部２と肌着部３とを備え、肌着部３を上着部２の内側に重ねた構造を有している。
【００１４】
上着部２は、保温性の高い材質から構成される。この保温性の高い材質として、たとえば、キルティングが有利に用いられる。上着部２は、左前身頃４と、右前身頃５と、後身頃６と、左袖７と、右袖８とを有している。
【００１５】
図１において、左前身頃４は、裏返された状態で図示されている。この状態からわかるように、左右の前身頃４および５は、左右に開放可能とされている。
【００１６】
また、図２に示すように、上着部２の後身頃６には、ベルト９の中間部が縫い付けられている。ベルト９の各端部には、互いに対をなす面ファスナ１０および１１が取り付けられている。
【００１７】
他方、肌着部３は、吸汗性の高い材質から構成される。この吸汗性の高い材質として、たとえば、ガーゼ、さらし等が有利に用いられる。肌着部３は、左右に開放可能な左前身頃１２および右前身頃１３と、後身頃１４とを有している。
【００１８】
なお、肌着部３は、特に袖を備える必要はない。これは、吸汗作用の必要性の高い部分にのみ肌着部３を設けようとした結果である。
【００１９】
肌着部３は、上着部２の内側に縫い付けられる。より詳細には、図２に示すように、肌着部３の脇の部分において、縫い目１５により、肩の部分において、縫い目１６により、そして、後身頃１４の後袖ぐりの部分において、縫い目１７により、それぞれ、肌着部３が上着部２に縫い付けられている。
【００２０】
上述のような縫い付け方法を採用することにより、図１に示した状態から理解できるように、上着部２の前身頃４および５と肌着部３の前身頃１２および１３とは、互いに独立して開閉することが可能であり、たとえば、上着部２の前身頃４および５を開放しても、肌着部３の前身頃１２および１３は、閉じたままの状態に維持することができる。
【００２１】
また、肌着部３は、図１からわかるように、上着部２より短い着丈を有している。これは、上着部２によって乳児の脚まで覆いながらも、肌着部３は、乳児が着用するおむつまで覆わないようにするためのものである。前述したように、上着部２の前身頃４および５は、肌着部３の前身頃１２および１３を閉じたままで開放することができるので、おむつ交換の際には、上着部２の前身頃４および５のみを開放すればよい。このとき、肌着部３は、その着丈が短いため、前身頃１２および１３を開放しなくても、おむつ交換の邪魔にはならない。
【００２２】
肌着部３には、また、乳児の脇の下に当たる位置に吸汗パッド１８が取り付けられている。乳児の脇の下は、特に発汗しやすい部位であるため、この部位に吸汗パッド１８を取り付けるようにすれば、乳児に対してより快適な心地を与えることができる。
【００２３】
このような乳児用衣服１は、肌着部３が上着部２の内側に縫い付けられた状態にあるので、乳児への着脱にあたっては、これら上着部２と肌着部３とが一体化された状態で取り扱われる。
【００２４】
すなわち、上着部２の前身頃４および５ならびに肌着部３の前身頃１２および１３を開放した状態で乳児用衣服１が広げられ、その上に乳児が置かれる。そして、肌着部３の前身頃１２および１３が合わせられ、次いで、上着部２の前身頃４および５が合わせられる。次に、ベルト９の各端部を上着部２の前身頃４および５側に引き出し、面ファスナ１０および１１を互いに結合させ、前身頃４および５が不用意に開放されないようにされる。
【００２５】
他方、乳児用衣服１を脱がす場合には、上述した操作と逆の操作を実施すればよい。
【００２６】
また、おむつ交換を行なう場合には、上着部２の前身頃４および５のみが開放され、おむつ交換を終えた後、前身頃４および５が再び合わされる。
【００２７】
図示した実施形態では、乳児用衣服１の着用状態を維持するための手段として、ベルト９が用いられたが、このようなベルト９に加えて、あるいは、ベルト９に代えて、他の着用状態維持手段が用いられてもよい。たとえば、上着部２における前身頃４および５の互いに重なり合う部分において、紐、ボタン、ホック、面ファスナ等によって結合させるようにしてもよい。また、肌着部３における前身頃１２および１３の互いに重なり合う部分において、紐、ボタン、ホック、面ファスナ等を用いて、前身頃１２および１３を互いに結合させるようにしてもよい。
【００２８】
【発明の効果】
以上のように、この発明に係る乳児用衣服によれば、上着部と肌着部とを備え、肌着部が上着部の内側に縫い付けられているので、これら上着部と肌着部とを一体として取り扱うことができる。また、上着部および肌着部は、ともに、左右に開放可能な前身頃を有している。このようなことから、この乳児用衣服の、乳児への着脱を容易に行なうことができるようになる。
【００２９】
また、この発明に係る乳児用衣服によれば、上着部が保温性の高い材質から構成され、かつ肌着部が吸汗性の高い材質から構成されているので、乳児用衣服にとって重要な機能である保温性と吸汗性とをともに満たすことができる。
【００３０】
さらに、この発明によれば、肌着部を上着部の内側に縫い付けるにあたって、肌着部の脇、肩および後身頃の後袖ぐりの各部分において、上着部に縫い付けるようにしているので、上着部の前身頃と肌着部の前身頃とを互いに独立して開閉することができる。そのため、たとえば、おむつ交換を行なう場合には、肌着部の前身頃を閉じたままの状態としながら、上着部の前身頃だけを開放して、このおむつ交換を行なうことができる。
【００３１】
上述の場合、肌着部が、上着部より短い着丈を有しているときには、おむつ交換の際、肌着部が邪魔にならないようにすることができる。
【００３２】
また、肌着部において、乳児の脇の下に当たる位置に吸汗パッドが取り付けられていると、乳児の発汗しやすい部位である脇の下での吸汗性が高められ、乳児にとってより快適な心地を与えることができる。
【図面の簡単な説明】
【図１】この発明の一実施形態による乳児用衣服１の前身頃側を示す図である。
【図２】図１に示した乳児用衣服１の後身頃側を示す図である。
【符号の説明】
１  乳児用衣服
２  上着部
３  肌着部
４，５，１２，１３  前身頃
６，１４  後身頃
７，８  袖
１５，１６，１７  縫い目
１８  吸汗パッド
【図１】
0003609689.tif 000002
【図２】
0003609689.tif 000003